(57)【特許請求の範囲】
【請求項１】
固定板（４）に形成した貫通孔（５）の周縁に埋め込み状態で取付け可能で、かつ、固定板（４）の表面側に向かって開口する筒型の照明器具本体（１）に、当該照明器具本体（１）の開口相当位置に透光体（８）又は装飾体を備えた枠体（３）を着脱自在に取付けてある埋込型照明器具であって、
前記枠体（３）の周方向複数箇所の各々に、当該枠体（３）を前記照明器具本体（１）に対して開口相当位置に近接移動させたとき、前記照明器具本体（１）の周壁（１Ｂ）に設けた被係合部（１２）に弾性力で係脱自在に係合する係合部（１３）を設けるとともに、
前記枠体（３）の周方向の一箇所には、当該枠体（３）が開口相当位置にあるとき、前記照明器具本体（１）内に突出する吊下げ部材（１４）を、前記照明器具本体（１）の筒軸芯に対して直交又はほぼ直交する軸芯（Ｐ）回りで揺動自在に取付け、
更に、前記被係合部（１２）と前記係合部（１３）との係合が解除され、かつ、前記枠体（３）を前記揺動軸芯（Ｐ）周りで垂下姿勢に揺動させることが可能な開放位置にまで当該枠体（３）を前記照明器具本体（１）の筒軸芯方向に沿って移動させたとき、前記吊下げ部材（１４）に対して脱着可能な状態で係止する係止部（１６）を、前記照明器具本体（１）の周壁（１Ｂ）に設け、
前記複数の係合部（１３）が板バネから構成されているとともに、前記被係合部（１２）の各々が前記照明器具本体（１）の周壁（１Ｂ）から打ち出し形成された突起から構成され、更に、前記吊下げ部材（１４）が線材から構成されているとともに、前記係止部（１６）が、前記照明器具本体（１）の周壁（１Ｂ）から打ち出し形成された突片から構成され、
前記係合部（１３）を構成する板バネに、前記吊下げ部材（１４）を構成する線材を揺動自在に保持する受け部（１７）が一体形成されている埋込型照明器具。
【請求項２】
固定板（４）に形成した貫通孔（５）の周縁に埋め込み状態で取付け可能で、かつ、固定板（４）の表面側に向かって開口する筒型の照明器具本体（１）に、当該照明器具本体（１）の開口相当位置に透光体（８）又は装飾体を備えた枠体（３）を着脱自在に取付けてある埋込型照明器具であって、
前記枠体（３）の周方向複数箇所の各々に、当該枠体（３）を前記照明器具本体（１）に対して開口相当位置に近接移動させたとき、前記照明器具本体（１）の周壁（１Ｂ）に設けた被係合部（１２）に弾性力で係脱自在に係合する係合部（１３）を設けるとともに、
前記枠体（３）の周方向の一箇所には、当該枠体（３）が開口相当位置にあるとき、前記照明器具本体（１）内に突出する吊下げ部材（１４）を、前記照明器具本体（１）の筒軸芯に対して直交又はほぼ直交する軸芯（Ｐ）回りで揺動自在に取付け、
更に、前記被係合部（１２）と前記係合部（１３）との係合が解除され、かつ、前記枠体（３）を前記揺動軸芯（Ｐ）周りで垂下姿勢に揺動させることが可能な開放位置にまで当該枠体（３）を前記照明器具本体（１）の筒軸芯方向に沿って移動させたとき、前記吊下げ部材（１４）に対して脱着可能な状態で係止する係止部（１６）を、前記照明器具本体（１）の周壁（１Ｂ）に設け、
前記枠体（３）には、筒状の反射板（９）が取付けられ、
前記複数の係合部（１３）が板バネから構成されているとともに、前記被係合部（１２）の各々が前記照明器具本体（１）の周壁（１Ｂ）から打ち出し形成された突起から構成され、更に、前記吊下げ部材（１４）が線材から構成されているとともに、前記係止部（１６）が、前記照明器具本体（１）の周壁（１Ｂ）から打ち出し形成された突片から構成され、
前記係合部（１３）を構成する板バネを前記枠体（３）に取付けたとき、前記枠体（３）に対して前記透光体（８）又は前記装飾体と前記反射板（９）とを挾持固定する押え片（１３Ｂ）が、前記係合部（１３）に一体形成されている埋込型照明器具。
【発明の詳細な説明】
【０００１】
【産業上の利用分野】
本発明は、固定板に形成した貫通孔の周縁に埋め込み状態で取付け可能で、かつ、固定板の表面側に向かって開口する筒型の照明器具本体に、当該照明器具本体の開口相当位置に透光体又は装飾体を備えた枠体を着脱自在に取付けてある埋込型照明器具に関する。
【０００２】
【従来の技術】
従来、この種の埋込型照明器具では、照明器具本体の開口を閉塞する状態で、当該照明器具本体の開口相当位置に位置させた枠体の周縁部分の複数箇所を、固定板の表面側又は照明器具本体の開口側のフランジ部分に対してビス止め固定していた。
しかしながら、照明ランプの交換作業及び照明器具本体内の清掃作業を行う際には、枠体と固定板の表面側又は照明器具本体のフランジ部分とに亘って締付けられている複数のビスを全て取り外して、照明器具本体から枠体を完全に取り除き、当該照明器具本体の開口を開放させる必要があり、また、再び、枠体を照明器具本体の開口を閉塞する状態で取付ける場合には、照明器具本体と枠体との位置合わせをした状態でビスにて締付け固定しなければならず、枠体の脱着作業の繁雑さと取り除かれたビスや枠体の管理の煩わしさとから、照明ランプの交換作業及び照明器具本体内の清掃作業に多くの手間を要する問題があった。
そこで、
▲１▼  枠体の周方向の相対向する２箇所に、当該枠体を照明器具本体に対して開口相当位置に近接移動させたとき、照明器具本体の周壁に設けた被係合部に弾性力で係脱自在に係合する係合部を設けた枠取付け構造（例えば、実開昭５４−１７７０９４号公報参照）
又は、
▲２▼  枠体の周方向の二箇所に、当該枠体が開口相当位置にあるとき、照明器具本体内に突出するＭ字状のバネ線材を、照明器具本体の筒軸芯に対して直交又はほぼ直交する軸芯周りで、前記突出姿勢と前記筒軸芯側に倒伏する倒伏姿勢とに揺動切換え自在に取付けるとともに、照明器具本体の周壁には、枠体が開口相当位置にあるとき、各バネ線材の左右一対の外方突出部分に弾性力で係脱自在に係合する係合片と、前記枠体を開口相当位置からバネ線材の弾性係合力に抗して前記筒軸芯方向に沿って引き出し移動させたとき、各バネ線材の頂部に係脱自在に係止して、照明器具本体の開口周縁と枠体との間に操作用空間を現出した開放状態で枠体を保持する係止片とを打ち出し形成した枠取付け構造（例えば、実開昭５５−９０８７号公報参照）、
を、従来の埋込型照明器具に採用することが考えられる。
【０００３】
【発明が解決しようとする課題】
しかしながら、前記▲１▼の構造の場合、照明器具本体側の被係合部と枠体側の係合部との係脱によって、枠体を照明器具本体に対して簡易に着脱することができるものの、照明ランプの交換作業及び照明器具本体内の清掃作業を行う際の、前記照明器具本体の開口側から取り除かれた枠体の管理の煩わしさは解消されておらず、未だ作業能率の改善に余地を残すものである。
また、前記▲２▼の構造の場合、枠体が開放位置にあるときの、当該枠体の照明器具本体に対する相対姿勢は開口相当位置にある状態の姿勢と殆ど同一の姿勢となるため、照明ランプの交換作業及び照明器具本体内の清掃作業を行うためには、前記固定板の表面側に沿う方向から枠体と照明器具本体の開口周縁との間を通して手を照明器具本体内に差し入れ、かつ、手を折り曲げながら前記作業を行わなければならず、その結果、枠体を開放位置で照明器具本体に仮保持させることによる、枠体の管理面での煩わしさを解消することはできるが、照明ランプの交換作業及び照明器具本体内の清掃作業の能率化を図るという面では改善されていない。
【０００４】
本発明は、上述の実情に鑑みてなされたものであって、その目的は、照明器具本体に対する枠体の取り付け構造を工夫することにより、照明ランプの交換作業及び照明器具本体内の清掃作業を迅速、容易に行える埋込型照明器具を提供する点にある。
【０００５】
【課題を解決するための手段】
前記目的を達成するための本発明の特徴構成は、固定板に形成した貫通孔の周縁に埋め込み状態で取付け可能で、かつ、固定板の表面側に向かって開口する筒型の照明器具本体に、当該照明器具本体の開口相当位置に透光体又は装飾体を備えた枠体を着脱自在に取付けてある埋込型照明器具であって、前記枠体の周方向複数箇所の各々に、当該枠体を前記照明器具本体に対して開口相当位置に近接移動させたとき、前記照明器具本体の周壁に設けた被係合部に弾性力で係脱自在に係合する係合部を設けるとともに、前記枠体の周方向の一箇所には、当該枠体が開口相当位置にあるとき、前記照明器具本体内に突出する吊下げ部材を、前記照明器具本体の筒軸芯に対して直交又はほぼ直交する軸芯回りで揺動自在に取付け、更に、前記被係合部と前記係合部との係合が解除され、かつ、前記枠体を前記揺動軸芯周りで垂下姿勢に揺動させることが可能な開放位置にまで当該枠体を前記照明器具本体の筒軸芯方向に沿って移動させたとき、前記吊下げ部材に対して脱着可能な状態で係止する係止部を、前記照明器具本体の周壁に設け、前記複数の係合部が板バネから構成されているとともに、前記被係合部の各々が前記照明器具本体の周壁から打ち出し形成された突起から構成され、更に、前記吊下げ部材が線材から構成されているとともに、前記係止部が、前記照明器具本体の周壁から打ち出し形成された突片から構成され、前記係合部を構成する板バネに、前記吊下げ部材を構成する線材を揺動自在に保持する受け部が一体形成されている点にある。
【０００６】
また、別の特徴構成は、固定板に形成した貫通孔の周縁に埋め込み状態で取付け可能で、かつ、固定板の表面側に向かって開口する筒型の照明器具本体に、当該照明器具本体の開口相当位置に透光体又は装飾体を備えた枠体を着脱自在に取付けてある埋込型照明器具であって、前記枠体の周方向複数箇所の各々に、当該枠体を前記照明器具本体に対して開口相当位置に近接移動させたとき、前記照明器具本体の周壁に設けた被係合部に弾性力で係脱自在に係合する係合部を設けるとともに、前記枠体の周方向の一箇所には、当該枠体が開口相当位置にあるとき、前記照明器具本体内に突出する吊下げ部材を、前記照明器具本体の筒軸芯に対して直交又はほぼ直交する軸芯回りで揺動自在に取付け、更に、前記被係合部と前記係合部との係合が解除され、かつ、前記枠体を前記揺動軸芯周りで垂下姿勢に揺動させることが可能な開放位置にまで当該枠体を前記照明器具本体の筒軸芯方向に沿って移動させたとき、前記吊下げ部材に対して脱着可能な状態で係止する係止部を、前記照明器具本体の周壁に設け、前記枠体には、筒状の反射板が取付けられ、前記複数の係合部が板バネから構成されているとともに、前記被係合部の各々が前記照明器具本体の周壁から打ち出し形成された突起から構成され、更に、前記吊下げ部材が線材から構成されているとともに、前記係止部が、前記照明器具本体の周壁から打ち出し形成された突片から構成され、前記係合部を構成する板バネを前記枠体に取付けたとき、前記枠体に対して前記透光体又は前記装飾体と前記反射板とを挾持固定する押え片が、前記係合部に一体形成されている点にある。
【００１０】
【作用】
請求項１記載の構成による場合は、枠体に取付けられた係合部と照明器具本体の周壁に設けた被係合部とを弾性力で係合させるだけで、照明器具本体の開口相当位置に枠体を確実に保持させることができるとともに、枠体を係合部と被係合部との弾性係合力に抗して開口相当位置から開放位置にまで筒軸芯方向に沿って移動させたとき、吊下げ部材が照明器具本体の周壁に設けてある係止部に係止して、枠体を照明器具本体に仮保持させることができるので、照明器具本体の開口を開放した状態での枠体の管理上の煩わしさがない。
しかも、枠体が開放位置に引き出された状態では、当該枠体が吊下げ部材の揺動軸芯周りで垂下姿勢となり、かつ、照明器具本体の開口の周縁側に偏位した位置に位置することとなるから、照明器具本体の開口が当該照明器具本体の筒軸芯方向に向かって大きく開放することとなり、従って、照明器具本体内に前記筒軸芯方向に沿って無理なく手を差し入れることができる。
さらに、係合部が板バネから構成されている関係上、係合部を弾性付勢するための構造が不要となり、また、被係合部及び係止部が共に照明器具本体から打ち出し形成されているため、部品点数の削減と構造の簡素化とを図ることができ、その上、吊下げ部材を線材で構成することによって軽量化も図ることができる。
しかも、板バネを利用して、当該板バネに受け部を一体形成することにより、別途形成された受け部を枠体に取付ける場合に比較して、部品点数の削減と構造の簡素化とを図ることができる。
【００１１】
請求項２記載の構成による場合は、枠体に取付けられた係合部と照明器具本体の周壁に設けた被係合部とを弾性力で係合させるだけで、照明器具本体の開口相当位置に枠体を確実に保持させることができるとともに、枠体を係合部と被係合部との弾性係合力に抗して開口相当位置から開放位置にまで筒軸芯方向に沿って移動させたとき、吊下げ部材が照明器具本体の周壁に設けてある係止部に係止して、枠体を照明器具本体に仮保持させることができるので、照明器具本体の開口を開放した状態での枠体の管理上の煩わしさがない。
しかも、枠体が開放位置に引き出された状態では、当該枠体が吊下げ部材の揺動軸芯周りで垂下姿勢となり、かつ、照明器具本体の開口の周縁側に偏位した位置に位置することとなるから、照明器具本体の開口が当該照明器具本体の筒軸芯方向に向かって大きく開放することとなり、従って、照明器具本体内に前記筒軸芯方向に沿って無理なく手を差し入れることができる。
また、枠体が開放位置に引き出された状態では、反射板自体も照明器具本体内から外部に抜き出すことができるとともに、この反射板の開口の向きを、枠体の横軸芯周りでの垂下に伴って照明器具本体の筒軸芯方向に対して交差する方向、つまり、当該反射板内に手を挿入し易い向きに変更できるので、反射板全体の清掃作業を行い易い。
さらに、係合部が板バネから構成されている関係上、係合部を弾性付勢するための構造が不要となり、また、被係合部及び係止部が共に照明器具本体から打ち出し形成されているため、部品点数の削減と構造の簡素化とを図ることができ、その上、吊下げ部材を線材で構成することによって軽量化も図ることができる。
しかも、前記係合部を構成する板バネを枠体に取付けるだけで、透光体又は装飾体と反射板とを挾持固定することができるから、組付けの容易化と部材点数の削減を図ることができる。
【００１５】
【発明の効果】
請求項１記載の埋込型照明器具は、照明器具本体の開口に対して枠体を開口相当位置で確実に係合保持しながらも、照明ランプの交換作業及び照明器具本体内の清掃作業を、枠体管理に煩わされることなく迅速、容易に行うことができるとともに、製造コストの低廉化と照明器具全体の軽量化とを図ることができる。
【００１６】
請求項２記載の埋込型照明器具は、照明器具本体の開口に対して枠体を開口相当位置で確実に係合保持しながらも、照明ランプの交換作業及び照明器具本体内の清掃作業を、枠体管理に煩わされることなく迅速、容易に行うことができるとともに、製造コストの低廉化と照明器具全体の軽量化とを図ることができ、さらに、反射板が枠体に取付けられていても、照明ランプの交換作業及び照明器具本体内及び反射板内の清掃作業を迅速、容易に行うことができるとともに、照明器具の組付けの容易化をも図ることができる。
【００２０】
【実施例】
〔第１実施例〕
図１〜図４は、有底円筒型に形成された金属製の照明器具本体１と、当該照明器具本体１の筒軸芯方向一端側の開口２を閉塞する状態で、この照明器具本体１の開口相当位置（以下、本実施例では閉塞位置と称する。）に着脱自在に取り付けられる円形状の合成樹脂製の枠体３とから構成される天井埋込型照明器具を示し、照明器具本体１は、当該照明器具本体１の開口２が固定板の一例である天板４の表面側に向かって開口する姿勢で、当該天板４に形成した貫通孔５の周縁に埋め込み状態で取付けられている。
前記照明器具本体１の底壁１Ａの内面には、白熱球又はクリプトン球等の照明ランプ６が取付けられるランプホルダー７が設けられている。
前記枠体３の鍔部３Ａの外周縁は、当該枠体３の裏面側に向かって屈曲形成されているとともに、枠体３の裏面側には、当該枠体３と同芯円状の筒部３Ｂが一体形成されていて、更に、この筒部３Ｂで囲まれた枠体３の中央部分には、当該筒部３Ｂの内径よりも少し小さな直径に構成された円形状の投光孔３Ｃが形成されている。
前記枠体３の筒部３Ｂ内には、投光孔３Ｃの直径よりも大きな内径に構成されたゴム製の円環状パッキン２１と、ガラス製又はアクリル樹脂製の円板状透光板８（透光体の一例）、及び、照明ランプ６の外周を覆う円筒状反射板９の鍔部９Ａとが重合状態で内嵌されていて、前記透光板８で投光孔３Ｃが閉塞されている。
【００２１】
前記照明器具本体１の貫通孔５に対する取付け固定構造について説明する。
図１，図４に示すように、前記照明器具本体１の周壁１Ｂの相対向する位置には、当該照明器具本体１の筒軸芯方向に沿って一対のＴの字状の取付け孔１０が形成されているとともに、これら各取付け孔１０には、抜け止め具１１が当該取付け孔１０の上下方向に沿って移動自在に装着されている。
そして、前記各抜け止め具１１は、各々の取付け孔１０のＴの字状頭部の幅広部分を介して、照明器具本体１に脱着自在に構成されているとともに、この抜け止め具１１は、照明器具本体１内側への押込み操作で、当該照明器具本体１の外部に殆ど突出しない退避姿勢となり、照明器具本体１外方への引出し操作で、抜け止め具１１の基端側が照明器具本体１の周壁１Ｂに接当し、かつ、先端側が前記貫通孔５の周縁よりも貫通孔径方向外側に突出する突出姿勢となるように切換え自在に構成されている。
そして、前記抜け止め具１１を退避姿勢にした状態で、照明器具本体１を天板４の貫通孔５に差し込み、照明器具本体１の開口２側に一体形成されている鍔部１Ｃを天板４の表面側に接当させ、その状態で抜け止め具１１を突出姿勢に切り換えて、この抜け止め具１１の先端側が天板４の裏面側に接当するまで開口２側に引き下げ操作すると、当該抜け止め具１１は天板４の裏面側と照明器具本体１の周壁１Ｂとに亘って突っ張り状態で保持されて、照明器具本体１は天板４に抜け止め保持される。
つまり、抜け止め具１１の先端側を天板４の裏面側に接当させた状態で、照明器具本体１が貫通孔５から抜け出し方向に移動しようとすると、抜け止め具１１の先端側に天板４の裏面側からの押し上げ作用が生じるが、その反作用で抜け止め具１１の基端側が照明器具本体１の周壁１Ｂに押圧されて、前記抜け止め具１１の移動が規制されるように構成されている。
【００２２】
次に、前記照明器具本体１に対する枠体３の取付け構造について説明する。
図５に示すように、前記照明器具本体１の周壁１Ｂの内面で、前記取付け孔１０と円周方向で９０度位相の異なる位置には、照明器具本体１の筒軸芯方向に沿ってくの字状に打ち出し形成された突起１２（被係合部の一例）が設けられている。
前記枠体３の筒部３Ｂのうち、外周面側の周方向の２箇所には、枠体３を照明器具本体１に対して閉塞位置に近接移動させたとき、各突起１２に弾性力で係脱自在に係合する凸形状の板バネ１３（係合部の一例）がビス止め固定されている。
そして、図３に示すように、前記突起１２に対する板バネ１３の弾性係合力による係合で、照明器具本体１の開口２を閉塞し、かつ、照明器具本体１の鍔部１Ｃを目隠しする状態で、枠体３が照明器具本体１に取付けられ、図１に示すように、枠体３を弾性係合力に抗して照明器具本体１の筒軸芯方向に沿って引出し移動させると、突起１２と板バネ１３との係合が解除されて、照明器具本体１から枠体３が引出されて、当該照明器具本体１の開口２が開放される。
尚、前記枠体３の鍔部３Ａに装着されているゴム製の円環状パッキン２２は、枠体３が照明器具本体１に対して閉塞位置にあるとき、照明器具本体１の鍔部１Ｃに押圧接当して、照明器具本体１の鍔部１Ｃと枠体３の鍔部３Ａとの間を気密状態に保持するシール機能を有する。
【００２３】
また、図４，図５に示すように、前記一対のバネ板１３のうち、一方のバネ板１３の取付け基部１３Ａには、枠体３が閉塞位置にあるとき、照明器具本体１内に突出するほぼＭ字状のバネ線材１４（吊下げ部材の一例）を、照明器具本体１の筒軸芯に対して直交する軸芯Ｐ周りで、前記突出姿勢と、枠体３の外方側を経由して当該枠体３の鍔部３Ａの外周縁に接当する位置まで倒伏させた倒伏姿勢とに揺動自在に取付けられているとともに、バネ線材１４の両脚部の相対向する中間部分には、互いに相反する方向にくの字状に屈曲して形成された左右一対の外方突出部分１４Ａが設けられている。
前記照明器具本体１の周壁１Ｂには、枠体３が閉塞位置にあるとき、バネ線材１４の左右一対の外方突出部分１４Ａの各々を、相対向する外方側から係合する一対の倒伏Ｌ字状の係合片１５が打ち出し形成されている。
前記両外方突出部分１４Ａは、枠体３が閉塞位置にあるとき、両係合片１５と弾性力で係脱自在に係合しており、当該係合によって照明器具本体１と枠体３との前記筒軸芯周りでの相対回動と、枠体３の照明器具本体１に対する引出し方向への移動とが規制されている。尚、前記相対回動の規制によって、突起１２と板バネ１３との係合が、枠体３の引出し方向への移動以外で係合解除されないように構成されている。
また、図２に示すように、前記枠体３が閉塞位置にある状態から、当該枠体３を照明器具本体１に対して強制的に前記筒軸芯方向に沿って引出し移動すると、バネ線材１４の両外方突出部分１４Ａは、係合片１５により弾性係合力に抗して互いに近接方向に移動し、両外方突出部分１４Ａとの係合が解除されるとともに、この係合片１５によって、照明器具本体１の周壁１Ｂの内面に沿うバネ線材１４の移動が案内される。
【００２４】
図１，図２、図５に示すように、前記照明器具本体１の周壁１Ｂには、枠体３を閉塞位置からバネ線材１４の弾性係合力及び板バネ１３の弾性係合力に抗して前記筒軸芯方向に沿って引出し移動させたとき、バネ線材１４の頂部の内方突出部分１４Ｂに係脱自在に係止して、照明器具本体１の開口２周縁と枠体３との間に操作用空間を現出した開放状態で枠体を保持する突片１６（係止部の一例）が打ち出し形成されている。
【００２５】
従って、図１，図２に示すように、前記枠体３を閉塞位置から前記筒軸芯方向に沿って引出し移動させ、バネ線材１４の頂部の内方突出部分１４Ｂを突片１６に係止した状態、つまり、枠体３が開放位置に位置する状態では、枠体３が前記軸芯Ｐ周りで垂下姿勢に揺動して照明器具本体１の開口２が前記筒軸芯方向において開放され、照明器具本体１の開口２の直下方向から当該照明器具本体１内に手を挿入することができる。
このとき、前記反射板９の枠体３側とは反対側の開口９Ｂの向きを、当該反射板９内に手を挿入し易い、照明器具本体１の筒軸芯方向に対して交差する方向、つまり、斜め下方向きにすることができる。
【００２６】
次に、前記バネ板１３とバネ線材１４との取付け構造について説明する。
図５〜図８に示すように、前記バネ板１３の取付け基部１３Ａの左右両端縁には、左右一対の半円環状の受け部１７が、前記軸芯Ｐ方向に沿って挿通孔を備えた状態で打ち出し形成されているとともに、この取付け基部１３Ａの両受け部１７間で、かつ、各受け部１７にバネ線材１４の軸径よりも僅かに大きい間隔を隔てた位置には、前記両受け部１７に挿入されたバネ線材１４の揺動軸部分１４Ｃの軸芯Ｐ方向への抜け出し移動を阻止する逆Ｌ字状の舌片１８が、枠体３に取付けた状態で枠体３の鍔部３Ａ側に向かって突出する状態で各々打ち出し形成されている。
前記バネ線材１４の両脚部の基端側は、同一軸線上に位置する状態で各々外方に向かって折曲形成されていて、当該折曲部分がバネ板１３に対する揺動軸部分１４Ｃに構成されている。
そして、前記各揺動軸部分１４Ｃを各受け部１７に各々挿通保持させることによって、バネ線材１４がバネ板１３に対して軸芯Ｐ周りで揺動自在に取付けられる。
更に、前記バネ線材１４のバネ板１３に対する取付け方法を説明する。
先ず、前記バネ線材１４を前記倒伏姿勢にして、バネ線材１４の両揺動軸部分１４Ｃを、両受け部１７間に挿入可能な寸法となるまで、バネ線材１４の前記基端側を弾性力に抗して互いに近接する方向に弾性移動させる。
そして、各揺動軸部分１４Ｃを舌片１８の先端側開口から当該舌片１８内に差し込み、各揺動軸部分１４Ｃの先端側を各受け部１７の挿通孔に相対向させる状態で、バネ線材１４の基端部側を両受け部１７間に位置させ、バネ線材１４の前記基端側の弾性移動を解除すると、当該基端側が弾性的に離間方向に復元移動して各揺動軸部分１４Ｃが各受け部１７に挿通される。
この挿通状態からバネ線材１４を突出姿勢に揺動移動すると、バネ線材１４の両脚部で揺動軸部分１４Ｃに連続する部位が、受け部１７と舌片１８との間に位置する状態となって、両揺動軸部分１４Ｃの受け部１７からの抜け出しが舌片１８のバネ線材１４存在側の側面によって接当阻止されるように構成されている。
【００２７】
図５〜図７に示すように、前記板バネ１３の取付け基部１３Ａには、当該板バネ１３を枠体３の筒部３Ｂに取付けたとき、当該筒部３Ｂに切り欠き形成された溝１９を通して筒部３Ｂ内にまで入り込み可能な寸法に構成されている押え片１３Ｂが折曲状態で一体形成されていて、当該押え片１３Ｂの枠体３側への押圧力によって、この押え片１３Ｂと枠体３とで前記パッキン２１と透光板８及び反射板９を挾持固定して、枠体３の筒部３Ｂからの抜け出しが規制されている。
【００２８】
〔第２実施例〕
図９は、前記第１実施例の変形例を示し、前記バネ線材１４をＶ字状に形成し、板バネ１３を、下端部分に押え片１３Ｂが折曲状態で一体形成されている縦長長方形状に形成するとともに、バネ線材１４の基端側のループ部分１４Ｄを、板バネ１３の先端側のカーリング部１３Ｃに係止させて、バネ線材１４を板バネ１３に対して前記突出姿勢と倒伏姿勢とに亘って揺動自在に取付けてある。
前記照明器具本体１の周壁１Ｂには、筒軸芯方向に挿通するループ状の係合片１５が打ち出し形成してあり、バネ線材１４の左右一対の触角状部分がこの係合片１５に弾性力で係脱自在に係合する状態で挿通してある。
更に、前記バネ線材１４の両触角状部分の先端部は、同一軸線上に位置する状態で各々外方に向かって折曲形成されていて、枠体３を照明器具本体１の開口相当位置からバネ線材１４の弾性係合力及び板バネ１３の弾性係合力に抗して前記筒軸芯方向に沿って引出し移動したとき、バネ線材１４の前記屈曲部分１４Ｅが係合片１５に係止されて、照明器具本体１の開口２周縁と枠体３との間に操作用空間を現出した開放状態で枠体３を垂下姿勢に保持するするように構成されている。
従って、前記係合片１５がバネ線材１４に対する係止部１６に兼用構成されることから、前記第１実施例において、照明器具本体１の周壁１Ｂに打ち出し形成されている突片１６を省略することができる。
尚、前記板バネ１３の押え片１３Ｃは、枠体３の筒部３Ｂに貫通形成された挿通孔２０を通して、この筒部３Ｂ内にまで入り込むように構成されている。
その他の構成は第１実施例と同様である。
【００２９】
〔その他の実施例〕
▲１▼  前記照明器具本体１の取付け構造としては、抜け止め具１１を用いることなく、照明器具本体１の鍔部１Ｃを、釘やビス等を用いて天板４に直接固定してもよい。
▲２▼  前記照明器具本体１の形状は円筒形状に限定されるものではなく、角筒形状であってもよく、また、前記枠体３の形状としては、照明器具本体１の開口相当位置に取付けた状態で、照明器具本体１の鍔部１Ｃを目隠しできる形状であるならば、その形状は特定されない。
▲３▼  前記反射板９は照明器具本体１内に取付けられていてもよい。
▲４▼  前記板バネ１３は枠体３の周方向の３箇所以上に設けられていてもよく、この場合は、板バネ１３の設置個数と同数の突起１２を、照明器具本体１の周壁１Ｂの前記板バネ１３と係脱自在な位置関係で打ち出し形成する。
▲５▼  前記各実施例では、前記係合部１３が板バネから構成されているとともに、前記被係合部１２の各々が照明器具本体１の周壁１Ｂから打ち出し形成された突起から構成され、更に、吊下げ部材１４がバネ線材から構成されているとともに、係止部１６が、照明器具本体１の周壁１Ｂから打ち出し形成された突片から構成されているが、この構成に限定されるものではなく、係合部１３を枠体３の筒部３Ｂに一体形成するとともに、被係合部１２を各別に形成して、照明器具本体１の周壁１Ｂの所定箇所にビスや接着材又は溶接等で固着して構成し、更に、吊下げ部材１４を板バネから構成するとともに、係止部１６を各別に形成して、照明器具本体１の周壁１Ｂの所定箇所にビスや接着材又は溶接等で固着して構成してもよい。
▲６▼  前記各実施例では、照明器具本体１を天板４に埋め込み状態で取付けてあるもので説明したが、この構成に限定されるものではなく、照明器具本体１を壁板に埋め込み状態で取付けて実施してもよい。
▲７▼  前記各実施例では、枠体３の投光孔３Ｃを透光体の一例である円板状透光板８で閉塞した照明器具を例に挙げて説明したが、透光体としては、照明器具本体１の外方側に突出する曲面を備えたセードであってもよい。
また、前記透光体８に代えて、ガラス製ビーズや格子部材等の装飾部材を備えた装飾体を用いて実施してもよい。
【００３０】
尚、特許請求の範囲の項に図面との対照を便利にするために符号を記すが、該記入により本発明は添付図面の構成に限定されるものではない。
【図面の簡単な説明】
【図１】照明器具本体の開口を開放した状態を示す縦断面図
【図２】要部の拡大断面図
【図３】照明器具本体の開口を閉塞した状態を示す縦断面図
【図４】図３のＩＶ−ＩＶ線断面図
【図５】要部の斜視図
【図６】枠体と係合部及び吊下げ部材との取付状態を示す断面図
【図７】図６のＶＩＩ−ＶＩＩ線断面図
【図８】図６のＶＩＩＩ−ＶＩＩＩ線断面図
【図９】第２実施例を示す断面図
【図１０】第２実施例のＸ−Ｘ線断面図
【符号の説明】
１      照明器具本体
１Ｂ    周壁
３      枠体
４      固定板
５      貫通孔
８      透光体
９      反射板
１２    被係合部（突起）
１３    係合部（板バネ）
１３Ｂ  押え片
１４    吊下げ部材（線材）
１６    係止部（突片）
１７    受け部
Ｐ      軸芯
【図１】
0003801221.tif 000002
【図２】
0003801221.tif 000003
【図３】
0003801221.tif 000004
【図４】
0003801221.tif 000005
【図５】
0003801221.tif 000006
【図６】
0003801221.tif 000007
【図７】
0003801221.tif 000008
【図８】
0003801221.tif 000009
【図９】
0003801221.tif 000010
【図１０】
0003801221.tif 000011